(57)【要約】    【課題】  データの読み書きを高速で行えると共に、記録メディアに記録されたデータを保護することができる。    【解決手段】  記録メディアＳＤＣは、パスワードロック機能を有し、パスワードによりアクセスがロックされる。システム制御部２８は、すべてのカードＩ／Ｆ２４に挿入された各記録メディアＳＤＣに対して、パスワードロックの解除またはパスワードの設定が正常に行え、且つ、各記録メディアＳＤＣに記憶された、固有情報及び固有情報ファイルに基づきデータのアクセスをする順番が定められる等によって、ＲＡＩＤ記録方式でデータアクセスできることを確認できた場合に、ＲＡＩＤ記録方式で記録メディアＳＤＣにデータアクセスする。【選択図】      図２１
2006293745.tif 000002
【特許請求の範囲】
【請求項１】
パスワードロック機能を有する記録メディアを着脱可能な複数のメディア装着部と、
前記複数のメディア装着部に装着された個々の記録メディアにパスワードを設定するパスワード設定手段と、
前記パスワード設定手段により設定されたパスワードを記憶するパスワード記憶手段と、
前記複数のメディア装着部に装着された個々の記録メディアがＲＡＩＤ記録方式によりアクセス可能であるか否かの認証を、前記パスワード記憶手段により記憶されたパスワードを用いて行うアクセス認証手段と、
前記アクセス認証手段により前記複数のメディア装着部に装着された個々の記録メディアがＲＡＩＤ記録方式によりアクセス可能であると認証された場合に、前記各記録メディアに対してＲＡＩＤ記録方式によるデータの読み書きを行う記録制御手段とを有することを特徴とするデータ記録装置。
【請求項２】
前記アクセス認証手段は、前記パスワード記憶手段により記憶されたパスワードと前記複数のメディア装着部に装着された個々の記録メディアに設定されているパスワードとの合致を条件として、ＲＡＩＤ記録方式によりアクセス可能であると認証することを特徴とする請求項１記載のデータ記録装置。
【請求項３】
前記パスワード記憶手段により記憶されたパスワードと前記複数のメディア装着部に装着された記録メディアに設定されているパスワードの両者が一致しない場合は、前記記録メディアに設定されているパスワードの変更または再設定により、前記両者を一致させるパスワード変更／再設定手段を有することを特徴とする請求項２記載のデータ記録装置。
【請求項４】
前記アクセス認証手段は、前記複数のメディア装着部に装着されたすべての記録メディアがＲＡＩＤ記録方式によりアクセス可能に組み合わされたものであるか否かに応じて前記認証を行うことを特徴とする請求項１〜３のいずれか１項に記載のデータ記録装置。
【請求項５】
前記アクセス認証手段は、前記複数のメディア装着部に装着されたすべての記録メディアがＲＡＩＤ記録方式でフォーマットされている場合に、前記すべての記録メディアがＲＡＩＤ記録方式によりアクセス可能に組み合わされたものであると認証することを特徴とする請求項４記載のデータ記録装置。
【請求項６】
前記記録制御手段は、前記複数のメディア装着部に装着された記録メディアにＲＡＩＤ記録方式により順番にアクセスし、前記アクセス認証手段は、前記記録制御手段によるアクセスの順番を規定する所定情報が前記各記録メディアに記録されている場合に、前記すべての記録メディアがＲＡＩＤ記録方式によりアクセス可能に組み合わされたものであると認証することを特徴とする請求項４記載のデータ記録装置。
【請求項７】
前記記録制御手段は、記録メディアがどのメディア装着部に装着されたとしても、装着された各記録メディアに記録された前記所定情報に基づき規定される順番で、ＲＡＩＤ記録方式によるデータの読み書きを行うことを特徴とする請求項６記載のデータ記録装置。
【請求項８】
前記各記録メディアに記録される前記所定情報には、当該記録メディアの固有情報と、当該記録メディアに対して記録の順番が次である記録メディアの固有情報とが含まれていることを特徴とする請求項６または７記載のデータ記録装置。
【請求項９】
前記記録制御手段は、ＲＡＩＤ記録方式によるデータの記録中に、前記複数のメディア装着部に装着された複数の記録メディアのうち、メモリフルになったものが発生した場合は、空き領域を有する他の複数の記録メディアに対して、ＲＡＩＤ記録方式のフォーマットを再設定し、該フォーマット再設定後の複数の記録メディアに対して、ＲＡＩＤ記録方式により残りのデータの記録を継続することを特徴とする請求項１〜８のいずれか１項に記載のデータ記録装置。
【発明の詳細な説明】
【技術分野】
【０００１】
本発明は、複数のメディア装着部に装着された記録メディアに、ＲＡＩＤ（Redundant Array of Inexpensive Disks）記録方式により、データを記録するデータ記録装置に関する。
【背景技術】
【０００２】
従来、カードスロット等のメディア装着部を複数備え、各メディア装着部に装着された記録メディアに、ＲＡＩＤ記録方式により、データを記録するデータ記録装置が知られている。例えば、記録装置としての、デジタルカメラやデジタルビデオカメラ等の撮像装置は、ＳＤメモリカード等の記録メディアを挿抜することができ、挿入された記録メディアは、撮影した画像や撮影画像を編集した画像等をデータとして保存することができる。また、通信機能を有する撮像装置は、通信機能を有する情報処理装置に対して、記録メディア内に保存した画像データ等を転送し、情報処理装置で再生させることができる。また、リムーバブルな記録メディアを撮像装置から抜去し、記録メディアにアクセスすることが可能なコントローラを有する情報処理装置に、上記抜去された記録メディアを挿入し、そして、情報処理装置において、挿入された記録メディアから記録されたデータを読み取って再生することが実現されている。
【０００３】
ところで、近年、ライトプロテクト機能を有する記録メディアが実現されている。この記録メディアには、記録メディア自体に書込み禁止・許可を設定したり、ある領域について書込み禁止・許可を設定したり、ハードウェアのスイッチ、あるいはパスワードにより、記録メディア自体に書込み禁止・許可を設定したりするものがある。
【０００４】
一方、近年、撮像装置においては、固体撮像素子（ＣＣＤ等）の性能向上に伴い、出力された画像のサイズや、画面全体の単位時間当たりのフレーム数が増加している。また、撮影後、記録メディアへの画像転送が終了し、次の撮影が可能になるまでの時間、つまり撮影間隔を短くすることが求められている。これらの要因に伴って記録メディアへのデータ転送速度の高速化が求められている。
【０００５】
そこで、従来、連続撮影された場合等には、撮像装置内の内部メモリに一時的に撮影画像を保存しておき、すべての撮影が終了した時点で、内部メモリから記録メディアに撮影画像を転送することにより、撮影間隔を短くすることが行われていた。しかし、内部メモリリソースには限界があり、内部メモリがすべて使用されていると撮影ができないといった問題が発生していた。
【０００６】
この問題を解消するために、下記特許文献１のデータ記録装置では、機能別及び性能別に定義されたＲＡＩＤ記録方式で記録メディアを制御することにより高速な転送速度に対応すると共に、記録メディアの空き領域がなくなった場合は、次に挿入された記録メディアに続きの情報を記録するように記録媒体の着脱を制御する。
【特許文献１】特開平９−２４５４１５号公報
【発明の開示】
【発明が解決しようとする課題】
【０００７】
しかしながら、上記特許文献１のデータ記録装置では、記録メディアにはＲＡＩＤ記録方式でデータが記録されているため、データ記録装置から記録メディアを抜去して、他の情報処理装置に挿入しても、その記録メディアのデータを読むことはできないが、上記情報処理装置が誤動作を起こしたり、あるいは記録メディアのデータを破壊したりしてしまうおそれがあるという問題があった。
【０００８】
さらには、上記特許文献１のデータ記録装置では、リムーバブルな記録メディアが挿入されるカードスロット自体に、ＲＡＩＤ記録方式でアクセスする順番を意味付けているため、記録メディアが一旦抜かれ、これが、同じデータ記録装置の別のカードスロットに挿入されると、ＲＡＩＤ記録方式でアクセスできない。そのため、ユーザは、記録メディアを一旦抜き去り、再度挿入して使用する際、各記録メディアが抜き去り時に何処のカードスロットに挿入されていたのかを記憶しておく必要があった。
【０００９】
本発明は上記従来技術の問題を解決するためになされたものであり、その目的は、データの読み書きを高速で行えると共に、記録メディアに記録されたデータを保護することができるデータ記録装置を提供することにある。
【課題を解決するための手段】
【００１０】
上記目的を達成するために本発明の請求項１のデータ記録装置は、パスワードロック機能を有する記録メディアを着脱可能な複数のメディア装着部と、前記複数のメディア装着部に装着された個々の記録メディアにパスワードを設定するパスワード設定手段と、前記パスワード設定手段により設定されたパスワードを記憶するパスワード記憶手段と、前記複数のメディア装着部に装着された個々の記録メディアがＲＡＩＤ記録方式によりアクセス可能であるか否かの認証を、前記パスワード記憶手段により記憶されたパスワードを用いて行うアクセス認証手段と、前記アクセス認証手段により前記複数のメディア装着部に装着された個々の記録メディアがＲＡＩＤ記録方式によりアクセス可能であると認証された場合に、前記各記録メディアに対してＲＡＩＤ記録方式によるデータの読み書きを行う記録制御手段とを有することを特徴とする。
【発明の効果】
【００１１】
本発明の請求項１によれば、データの読み書きを高速で行えると共に、記録メディアに記録されたデータを保護することができる。
【００１２】
本発明の請求項３によれば、ＲＡＩＤ記録用に組み合わされた記録メディア以外の記録メディアを、ＲＡＩＤ記録用に用いることができるようにすることができる。
【００１３】
本発明の請求項６、７によれば、ＲＡＩＤ記録用に組み合わされた記録メディアであれば、どのメディア装着部に装着しても、適切な順番でデータを読み書きすることができる。
【００１４】
本発明の請求項９によれば、一部の記録メディアがメモリフルになっても、他の記録メディアをＲＡＩＤ記録用に新たに組み合わせて、データの記録を継続することができる。
【発明を実施するための最良の形態】
【００１５】
以下、本発明の実施の形態を図面を参照して説明する。
【００１６】
（第１の実施の形態）
図１は、本発明の第１の実施の形態に係るデータ記録装置の構成を示すブロック図である。本データ記録装置は、例えば、撮像装置として構成される。この撮像装置１は、メモリ制御回路１７、システム制御部２８、撮影レンズ１１、絞り機能を備えるシャッタ１２、光学像を電気信号に変換する撮像素子１３、撮像素子１３のアナログ信号出力をデジタル信号に変換するＡ／Ｄ変換器１５、撮像素子１３及びＡ／Ｄ変換器１５にクロック信号や制御信号を供給するタイミング発生回路１４、並びに画像処理回路１６を備える。タイミング発生回路１４は、メモリ制御回路１７及びシステム制御部２８により制御される。
【００１７】
画像処理回路１６は、Ａ／Ｄ変換器１５からのデータ、あるいはメモリ制御回路１７からのデータに対して、所定の画素補間処理や色変換処理を行う。また、画像処理回路１６においては、撮像した画像データを用いて所定の演算処理を行い、得られた演算結果に基づいてシステム制御部２８により露光、測距制御がなされる、ＴＴＬ（スルー・ザ・レンズ）方式のＡＦ（オートフォーカス）処理、ＡＥ（自動露出）処理、ＥＦ（フラッシュプリ発行）処理が行われる。画像処理回路１６においては、さらに、撮像した画像データを用いて所定の演算処理を行い、得られた演算結果に基づいてＴＴＬ方式のＡＷＢ（オートホワイトバランス）処理も行われる。
【００１８】
撮像装置１はまた、メモリ制御回路１７、タイミング発生回路１４、画像表示回路１９、メモリ２０、圧縮・伸長回路２１及び通信部２２を備え、メモリ制御回路１７は、Ａ／Ｄ変換器１５、タイミング発生回路１４、画像処理回路１６、画像表示回路１９、メモリ２０、圧縮・伸長回路２１を制御する。画像表示回路１９に接続された画像表示部１８は、ＬＣＤ等から成り、メモリ２０に書き込まれた表示用の画像データが、メモリ制御回路１７、画像表示回路１９を介して画像表示部１８に表示される。画像表示部１８を用いて、撮像した画像データを遂時表示すれば、電子ビューファインダ（ＥＶＦ）機能を実現することが可能である。通信部２２は、例えば、ＲＳ２３２ＣやＵＳＢ、ＩＥＥＥ１３９４、モデム、ＬＡＮ等の有線通信、あるいは、ＩｒＤＡ等の赤外線通信、Ｂｌｕｅｔｏｏｔｈ、８０２．１１ｂ等の無線通信の機能のいずれかまたは複数を有する。
【００１９】
メモリ２０は、撮影された静止画像や動画像を格納し、多数の静止画像や長時間の動画像を格納するのに十分な記憶容量を備えており、複数枚の画像を連続して撮影する場合にも、高速かつ大量の画像書き込みをメモリ２０に対して行うことが可能である。また、メモリ２０は、システム制御部２８の作業領域としても使用することが可能である。
【００２０】
圧縮・伸長回路２１は、適応離散コサイン変換（ＡＤＣＴ）、ウェーブレット変換等により画像データを圧縮伸長する。圧縮・伸長回路２１は、メモリ２０に格納された画像を読み込んで圧縮処理或いは伸長処理を行い、処理を終えたデータをメモリ２０に書き込む。システム制御部２８は、本撮像装置１全体を制御する。
【００２１】
撮像装置１はまた、ＲＡＭ３０、ＲＯＭ２９、操作部２６、シャッタ２７を備える。ＲＡＭ３０は、システム制御部２８の動作用定数、変数等を記憶する。ＲＯＭ２９は、システム制御部２８の動作プログラムやパラメータ等を記憶する。操作部２６、シャッタ２７は、システム制御部２８の各種動作指示を入力するために設けられ、スイッチやダイヤル、タッチパネル等複数の組み合わせで構成される。
【００２２】
撮像装置１はまた、ディスクアレイコントローラ２３を備え、ディスクアレイコントローラ２３は、複数のカードＩ／Ｆ２４を介して、複数のＳＤメモリカードやハードディスク等の外部記憶媒体である記録メディアＳＤＣ（ＳＤＣ（１）〜ＳＤＣ（５））にアクセスする。各カードＩ／Ｆ２４には、１つの記録メディアＳＤＣが挿入可能であり、ディスクアレイコントローラ２３は、機能別／性能別に定義されたＲＡＩＤ１〜ＲＡＩＤ５の記録方式により、カードＩ／Ｆ２４を介して記録メディアＳＤＣに対してデータの読み書きを行うようになっている。なお、カードＩ／Ｆ２４は、複数であればよく、その数は限定されない。従来、ディスクアレイシステムにおけるＲＡＩＤ１〜ＲＡＩＤ５のうち、ＲＡＩＤ１、ＲＡＩＤ３、ＲＡＩＤ５が実際に用いられている。
【００２３】
次に、図２〜図５で、ＲＡＩＤ１、ＲＡＩＤ３、ＲＡＩＤ５の記録方式について一般的な説明を行う。
【００２４】
図２は、ミラーリング方式を用いてデータの記録が行われるＲＡＩＤ１の記録方式の概念図である。図２〜図４において、ディスクドライブ２００〜２０４、３００〜３０４、４００〜４０４が、記録メディアＳＤＣ（１）〜ＳＤＣ（５）に相当する。
【００２５】
データ１、データ２、データ３・・・からなる一連のデータ２０６を、安全性を重視して記録する場合、ＲＡＩＤ１の記録方式であるミラーリング方式を用いてデータの記録が行われる。このミラーリング方式では、ディスクドライブ２００をマスタディスクとし、残りのディスクドライブ２０１〜２０４を予備ディスクとする。そして、各予備ディスクに、マスタディスクと全く同じデータ（データ１、データ２、データ３・・・）を記録するものである。これにより、マスタディスクが故障等してトラブルが発生し、正常にデータが記録されなくても、残る予備ディスクには、マスタディスクと全く同じデータが記憶されることから、データの安全性を確保することができる。
【００２６】
一方、一連のデータをデータ転送速度を重視して記録する場合、ＲＡＩＤ３またはＲＡＩＤ５の記録方式であるストライピンング方式を用いてデータの記録が行われる。
【００２７】
図３は、ストライピング方式を用いてデータの記録が行われるＲＡＩＤ３の記録方式の概念図である。ＲＡＩＤ３のストライピング方式では、複数のディスクドライブのうち、特定のディスクドライブをパリティデータ用とし使用するものである。例えば、ディスクドライブ３０４がパリティデータ用のディスクドライブとして用いられる。このストライピング方式では、一連のデータ３０６の記録に際し、ディスクドライブ３００がデータ１、データ５、データ９・・・をそれぞれ記憶し、ディスクドライブ３０１がデータ２、データ６、データ１０・・・をそれぞれ記憶し、ディスクドライブ３０２がデータ３、データ７、データ１１・・・をそれぞれ記憶し、ディスクドライブ３０３がデータ４、データ８、データ１２・・・をそれぞれ記憶する。ディスクドライブ３０４には、上記データ１〜４のパリティデータ、データ５〜８のパリティデータ、データ９〜１２のパリティデータが記憶される。これにより、上記一連のデータ３０６を各ディスクドライブにより並列に記録できるため、高速な転送速度のデータに対応することができる。
【００２８】
図４は、ストライピング方式を用いてデータの記録が行われるＲＡＩＤ５の記録方式の概念図である。ＲＡＩＤ５のストライピング方式では、上記パリティデータを複数のディスクドライブに分散して記憶するものである。このストライピング方式では、ディスクドライブ４００〜４０３が、それぞれデータ１〜４を記憶すると共に、ディスクドライブ４０４が、データ１〜４のパリティデータを記憶する。次に、ディスクドライブ４００〜４０２、４０４のディスクドライブが、それぞれデータ５〜７、データ８を記憶すると共に、ディスクドライブ４０３が、データ５〜８のパリティデータを記録する。次に、ディスクドライブ４００、４０１、４０３、４０４が、それぞれデータ９、１０、１１、１２を記憶すると共に、ディスクドライブ４０２が、データ９〜１２のパリティデータを記憶する。これにより、上記一連のデータを各ディスクドライブで並列的に記録することができるため、高速な転送速度のデータに対応することができる。
【００２９】
ＲＡＩＤ３の記録方式（図３参照）では、パリティデータをディスクドライブ３０４にのみ記憶させるようにしているため、同時に異なるディスクドライブでデータの書き込みを行うことはできない。一方、ＲＡＩＤ５の記録方式（図４参照）では、パリティデータを各ディスクドライブで分散して記録するようにしているため、同時に異なるディスクドライブでデータの書き込みを行うことができ、全体の性能を向上させることができる。
【００３０】
このようなディスクアレイシステムにおけるＲＡＩＤ１、ＲＡＩＤ３、ＲＡＩＤ５の各記録方式は、記録するデータに応じて、あるいはユーザの希望に応じて選択可能となっている。このため、画像データを記録対象とする本撮像装置１のように、高速なデータ転送速度を必要とする場合は、ＲＡＩＤ３またはＲＡＩＤ５が採用される。
【００３１】
図５は、記録メディアＳＤＣに記録される画像ファイルシステムの階層構造を示す概念図であり、例えば階層Ｌ１〜Ｌ４で構成される。
【００３２】
同図において、最上位の階層Ｌ１はユーザアプリケーションである。このユーザアプリケーションは、撮像装置１内部で起動するソフトウェアであり、ファイルをファイル名でオープンして読み書きした後、クローズする。
【００３３】
階層Ｌ２は、ファイルシステムＡＰＩ（Application Program Interface）層であり、ユーザアプリケーションからファンクションコールによって呼び出される。階層Ｌ２がドライブ名とファイルシステムを関連付けて管理している。ドライブ毎にファイルシステムアーキテクチャ層（階層Ｌ３）がマウントされるように構成されているため、複数のファイルシステムアーキテクチャ（例えばＦＡＴ（File Allocation Table）、ＮＦＳ（Net work File System）、ＮＴＦＳ（NT File System）等）が混在されることが可能となっている。なお、ファイルシステムアーキテクチャ層（階層Ｌ３）が、実際のファイル管理を行う部分である。最下位の階層Ｌ４がブロックデバイス層である。
【００３４】
ファイルシステムアーキテクチャ層は、ブロックデバイス層が提供するサービスを利用してファイル入出力を実現している。なお、ブロックデバイス層では、データを５１２バイト等のセクタという単位で管理している。該ブロックデバイス層でデバイスごとの入出力の違いと、ヘッドやシリンダ等のパラメータの違いを吸収している。これにより、同時に複数の種類のデバイスを混在させたカメラシステムを構築することが出来る。
【００３５】
本実施の形態における撮像装置１では、外部記憶媒体である記録メディアＳＤＣのブロックデバイスがファイルシステムへ提供するサービスには、次のサービス（Ｂ．１）〜（Ｂ．３）がある。
（Ｂ．１）：論理的なセクタ番号で指定したセクタからのデータの読み出し。
（Ｂ．２）：論理的なセクタ番号で指定したセクタへのデータの書き込み。
（Ｂ．３）：論理的なセクタ番号で指定したセクタのイレース。
【００３６】
用いられる外部記憶媒体は、サービス（Ｂ．１）〜（Ｂ．３）の内、少なくともサービス（Ｂ．１）と（Ｂ．２）とを提供可能なものであることを前提とする。
【００３７】
さらに、外部記憶媒体は、アクセスロックが可能であることも前提としている。該アクセスロックは、少なくともサービス（Ｂ．２）と（Ｂ．３）を利用不可にすることで内部データの変更を不可にし、さらに、アクセスロックを設定したシステム以外では、ユーザによる入力等がなければ自動的には解除できないものである。例えば、パスワードによるアクセスロック等である。
【００３８】
記録メディアＳＤＣは、上記前提を満たしている。本実施の形態では、記録メディアとして、パスワードによりアクセスをロックするパスワードロック機能を具備する記録メディアＳＤＣを用い、ファイルシステムアーキテクチャとしてＦＡＴファイルシステムを用いた例を説明する。
【００３９】
次に、記録メディアＳＤＣの上記パスワードロック機能について説明する。上記パスワードロック機能は、記録メディアＳＤＣ内のデータ変更を伴うすべてのアクセスを不可にする。ただし、少なくともパスワードロックの解除のためのアクセスは可能である。なお、パスワードは一つしか登録できず、多重ロックには対応していない。
【００４０】
記録メディアＳＤＣにおいて、パスワード制御に関わるカードアクセスとして、次のパスワード制御サービス（Ｃ．１）〜（Ｃ．６）が提供されている。
サービス（Ｃ．１）：パスワードが設定されていない場合に、新パスワードを指定することによるパスワードの設定。
サービス（Ｃ．２）：パスワードが既に設定されている場合に、旧パスワードと新パスワードを指定することによるパスワードの変更。
サービス（Ｃ．３）：パスワードが設定されている場合に、同じパスワードを指定することによるパスワードの削除。
サービス（Ｃ．４）：パスワードが設定されている場合に、同じパスワードを指定することによるパスワードロックの実行。
サービス（Ｃ．５）：パスワードによるロックがかけられている場合に、同じパスワードを指定することによるパスワードロック解除の実行。ただし、この動作によりパスワードは削除されない。
サービス（Ｃ．６）：パスワードによるロックがかけられている場合に、パスワードを指定せず、パスワードロック解除とカード内全データの削除を同時に行うパスワードロック強制解除の実行。
【００４１】
図６は、カードアクセスサービス（Ｃ．１）の動作を示したフローチャート図である。
【００４２】
まず、記録メディアＳＤＣが装着された撮像装置１において、システム制御部２８は、パスワードを取得する（ステップＳ６０１）。パスワードの取得方法は、例えばユーザからの入力による方法、またはカード属性情報やＩＤ等から自動生成する方法等があるが、いずれを採用してもよい。以降、パスワードの取得において、特に言及がない場合は、同様の方法で取得しているものとする。次に、ステップＳ６０２で、該記録メディアＳＤＣに対し、上記取得したパスワード設定を実行する。以下のステップＳ６０３〜Ｓ６０５の処理は、記録メディアＳＤＣ内の内蔵コントローラ（図示せず）により、自動的に実行される。
【００４３】
パスワード設定の実行対象となった記録メディアＳＤＣは、自身に既にパスワードが設定されているかを判別し（ステップＳ６０３）、既にパスワードが設定されている場合は、パスワード設定が失敗であるとして（ステップＳ６０５）、本処理を終了する。一方、未だパスワードが設定されていない場合は、今回、設定が実行されたパスワードを新たに設定し（ステップＳ６０４）、本処理を終了する。なお、設定したパスワードは、メモリ２０等の記憶される。
【００４４】
図７は、カードアクセスサービス（Ｃ．２）の動作を示したフローチャート図である。記録メディアＳＤＣが装着された撮像装置１において、システム制御部２８は、まず、ステップＳ７０１で、現在設定されているパスワード（旧パスワード）を取得する。この旧パスワードは、メモリ２０から読み出すことで取得される。次に、ステップＳ７０２で、新たに設定する新パスワードを取得する。さらに、ステップＳ７０３で、記録メディアＳＤＣに対してパスワード変更を実行する。以降の処理は、記録メディアＳＤＣ内の内蔵コントローラにより自動的に実行される。
【００４５】
パスワード変更の実行対象となった記録メディアＳＤＣは、既に自身にパスワードが設定されているかを判別し（ステップＳ７０４）、既にパスワードが設定されている場合は、その設定されているパスワードが、上記取得された旧パスワードと一致するかを判別する（ステップＳ７０５）。その判別の結果、両者が一致する場合は、その時点で自身にパスワードロックがかけられているか否かを判別し（ステップＳ７０６）、パスワードロックがかけられていない場合は、上記取得された旧パスワードに代えて、上記新パスワードを設定して（ステップＳ７０７）、本処理を終了する。
【００４６】
一方、前記ステップＳ７０４の判別の結果、未だパスワードが設定されていない場合、前記ステップＳ７０５の判別の結果、既に設定されているパスワードが上記取得された旧パスワードと一致しない場合、または、前記ステップＳ７０６の判別の結果、パスワードロックがかけられている場合は、いずれも、パスワード変更が失敗であるとして（ステップＳ７０８）、本処理を終了する。
【００４７】
図８は、カードアクセスサービス（Ｃ．３）の動作を示したフローチャート図である。記録メディアＳＤＣが装着された撮像装置１において、システム制御部２８は、まず、ステップＳ８０１でパスワードを取得する。次に、ステップＳ８０２で、記録メディアＳＤＣに対してパスワード削除を実行する。以降の処理は、記録メディアＳＤＣ内の内蔵コントローラにより自動的に実行される。
【００４８】
パスワード削除の実行対象となった記録メディアＳＤＣは、その時点で既に自身にパスワードが設定されているかを判別する（ステップＳ８０３）。その判別の結果、既にパスワードが設定されている場合は、ステップＳ８０４で、該設定されているパスワードが上記取得されたパスワードと一致するか否かを判別する。その判別の結果、両者が一致する場合は、ステップＳ８０５で、その時点で自身にパスワードロックがかけられているか否かを判別する。そして、パスワードロックがかけられていない場合は、ステップＳ８０６で、自身のパスワードを削除し、本処理を終了する。
【００４９】
一方、前記ステップＳ８０３の判別の結果、未だパスワードが設定されていない場合、前記ステップＳ８０４の判別の結果、設定されているパスワードが上記取得されたパスワードと一致しない場合、または、前記ステップＳ８０５の判別の結果、その時点でパスワードロックがかけられている場合は、いずれも、パスワード削除が失敗したとして（ステップＳ８０７）、本処理を終了する。
【００５０】
図９は、カードアクセスサービス（Ｃ．４）の動作を示したフローチャート図である。記録メディアＳＤＣが装着された撮像装置１において、システム制御部２８は、まず、ステップＳ９０１で、パスワードを取得する。次に、ステップＳ９０２で、記録メディアＳＤＣに対してパスワードロックを実行する。以降の処理は、記録メディアＳＤＣ内の内蔵コントローラにより自動的に実行される。
【００５１】
パスワードロックの実行対象となった記録メディアＳＤＣは、ステップＳ９０３〜Ｓ９０５で、図８の前記ステップＳ８０３〜Ｓ８０５と同様の処理を実行する。前記ステップＳ９０５の判別の結果、パスワードロックがかけられていない場合は、ステップＳ９０６で、自身をパスワードロックし、本処理を終了する。
【００５２】
一方、前記ステップＳ９０３の判別の結果、パスワードが設定されていない場合、前記ステップＳ９０４の判別の結果、既に設定されているパスワードが上記取得されたパスワードと一致しない場合、または、前記ステップＳ９０５の判別の結果、自身にパスワードロックがかけられている場合は、いずれも、パスワードロックが失敗した（あるいはロック済みである）として（ステップＳ９０７）、本処理を終了する。
【００５３】
図１０は、カードアクセスサービス（Ｃ．５）の動作を示したフローチャート図である。記録メディアＳＤＣが装着された撮像装置１において、システム制御部２８は、まず、ステップＳ１００１で、パスワードを取得する。次に、ステップＳ１００２で、記録メディアＳＤＣに対してパスワードロック解除を実行する。以降の処理は、記録メディアＳＤＣ内の内蔵コントローラにより自動的に実行される。
【００５４】
パスワードロック解除の実行対象となった記録メディアＳＤＣは、ステップＳ１００３〜Ｓ１００５で、図８の前記ステップＳ８０３〜Ｓ８０５と同様の処理を実行する。前記ステップＳ１００５の判別の結果、パスワードロックがかけられていない場合は、ステップＳ１００６で、自身のパスワードロックを解除し、本処理を終了する。
【００５５】
前記ステップＳ１００３の判別の結果、未だパスワードが設定されていない場合、前記ステップＳ１００４の判別の結果、設定されているパスワードが上記取得されたパスワードと一致しない場合、または、前記ステップＳ１００５の判別の結果、パスワードロックがかけられていない場合は、いずれも、パスワードロックの解除が失敗した（あるいは解除済みである）として（ステップＳ１００７）、本処理を終了する。
【００５６】
図１１は、カードアクセスサービス（Ｃ．６）の動作を示したフローチャート図である。記録メディアＳＤＣが装着された撮像装置１において、システム制御部２８は、まず、ステップＳ１１０１で、記録メディアＳＤＣに対してパスワードロック強制解除を実行する。以降の処理は、記録メディアＳＤＣ内の内蔵コントローラにより自動的に実行される。
【００５７】
パスワードロック強制解除の実行対象となった記録メディアＳＤＣは、その時点で既に自身にパスワードが設定されているか否かを判別し（ステップＳ１１０２）、既にパスワードが設定されている場合は、ステップＳ１１０３で、現在、パスワードロックがかけられているか否かを判別する。その判別の結果、パスワードロックがかけられている場合は、自身の全データの削除を実行し（ステップＳ１１０４）、全データの削除が完了したら、自身のパスワードロックを解除し（ステップＳ１１０５）、さらに、パスワードを削除して（ステップＳ１１０６）、本処理を終了する。
【００５８】
一方、前記ステップＳ１１０２の判別の結果、パスワードが設定されていない場合、または、前記ステップＳ１１０３の判別の結果、パスワードロックがかけられていない場合は、パスワードロック強制解除が失敗したとして（ステップＳ１１０７）、本処理を終了する。
【００５９】
次に、上記パスワード制御サービスについて説明する。記録メディアＳＤＣの上記パスワード制御サービス（Ｃ．１）〜（Ｃ．６）は、システム制御部２８の制御により、記録メディアＳＤＣへ、コマンドとそれに続くパスワード制御データを送信することで行われる。
【００６０】
図１２は、記録メディアＳＤＣに対するパスワード制御のフローチャートである。図１３は、パスワード制御サービス（Ｃ．１）、（Ｃ．３）〜（Ｃ．５）におけるパスワード制御データの構造を示す概念図である。図１４は、パスワード制御サービス（Ｃ．２）におけるパスワード制御データの構造を示す概念図である。図１５は、パスワード制御サービス（Ｃ．６）におけるパスワード制御データの構造を示す概念図である。
【００６１】
まず、パスワード制御データの構造を説明する。図１３〜図１５において、各行が１バイト（Ｂｙｔｅ）分のデータを示している。バイト番号（Ｂｙｔｅ＃）と各バイトにおけるビット（Ｂｉｔ０〜Ｂｉｔ７）番号は、すべて０から始まる番号が振られている。また、括弧内の数字（０または１）は、具体的な数値（ビット値）を示している。
【００６２】
図１３に示す、ＬＯＣＫ＿ＵＮＬＯＣＫ（Ｂｙｔｅ０：Ｂｉｔ２）は、パスワードロックを行うかを示すビットであり、ビット値の「１」はパスワードロックを、「０」はアンロックをそれぞれ示す。上記パスワード制御サービス（Ｃ．４）では、該ビットに「１」を入れ、それ以外の制御では０を入れる。ＣＬＥＡＲ＿ＰＡＳＳＷＯＲＤ（Ｂｙｔｅ０：Ｂｉｔ１）は、パスワードを削除するかを示すビットであり、ビット値の「１」はパスワード削除を示す。上記パスワード制御サービス（Ｃ．３）では、該ビットに「１」を入れ、それ以外の制御では、「０」を入れる。
【００６３】
ＳＥＴ＿ＰＡＳＳＷＯＲＤ（Ｂｙｔｅ０：Ｂｉｔ０）は、パスワードを設定するかを示すビットであり、ビット値の「１」はパスワードの設定を示す。上記パスワード制御サービス（Ｃ．１）では、該ビットに「１」を入れ、それ以外の制御では、「０」を入れる。
ＣＵＲ＿ＰＷＤ＿ＬＥＮ（Ｂｙｔｅ１）には、パスワードの長さをバイト数で入れ、２バイト目以降はパスワード本体を入れる。
【００６４】
図１４に示す、ＳＥＴ＿ＰＡＳＳＷＯＲＤ、ＣＬＥＡＲ＿ＰＡＳＳＷＯＲＤ、ＬＯＣＫ＿ＵＮＬＯＣＫ、ＥＲＡＳＥは、図の括弧内の数値（１、０、０、０）を入れる。ＣＵＲ＿ＰＷＤ＿ＬＥＮ（Ｂｙｔｅ１）には、現在設定されているパスワードの長さをバイト数で入れ、２バイト目から現在のパスワード本体を入れる。さらに、（ＣＵＲ＿ＰＷＤ＿ＬＥＮ＋１）バイト目には、新たに設定するパスワードの長さをバイト数で入れ、（ＣＵＲ＿ＰＷＤ＿ＬＥＮ＋２）バイト目から新たに設定するパスワード本体を入れる。
【００６５】
図１５に示す、ＥＲＡＳＥ（Ｂｙｔｅ０：Ｂｉｔ３）は、パスワードの強制解除を示すビットであり、ビット値「１」は強制解除実行を示す。上記パスワード制御サービス（Ｃ．６）では、該ビットに「１」を入れる。ＳＥＴ＿ＰＡＳＳＷＯＲＤ、ＣＬＥＡＲ＿ＰＡＳＳＷＯＲＤ、ＬＯＣＫ＿ＵＮＬＯＣＫは、図の括弧内の数値（０、０、０）を入れる。
【００６６】
次に、図１２のパスワード制御処理を説明する。記録メディアＳＤＣが装着された撮像装置１において、システム制御部２８は、まず、ステップＳ１２０１で、装着された記録メディアＳＤＣにパスワード制御用コマンドを送信し、ステップＳ１２０２で、該コマンドに対するレスポンスを受信する。次に、ステップＳ１２０３で、レスポンスエラーが発生したか否かを判別する。その判別の結果、レスポンスエラーが発生していない場合は、ステップＳ１２０４で、上記パスワード制御データを送信する。
【００６７】
その後、ステップＳ１２０５で、ステータスコマンドを送信し、ステップＳ１２０６で、それに対するレスポンスを受信する。該レスポンスには、パスワード制御が成功したかどうかを示すステータスが含まれている。続くステップＳ１２０７では、レスポンスエラーがあったか否かによりパスワード制御が成功したか否かを判別する。
【００６８】
その判別の結果、レスポンスエラーがない場合は、パスワード制御が正常に成功したとして、正常終了する。一方、前記ステップＳ１２０３の判別の結果、または、前記ステップＳ１２０７の判別の結果、レスポンスエラーがあった場合は、パスワード制御が正常に成功しなかったとして、エラー終了する。
【００６９】
ところで、記録メディアＳＤＣのパスワード制御に関わるカードアクセスは同期処理されるため、パスワードロックがかけられている場合にパスワードが変更、もしくは削除されることはない。さらに、記録メディアＳＤＣには、パスワードが設定されている場合に電力供給が開始されたとき（例えば、撮像装置１の電源がＯＮ状態において記録メディアＳＤＣが装着された場合や、電源ＯＦＦ状態で且つ記録メディアＳＤＣが装着されている状態で電源がＯＮになった場合等）は、該記録メディアＳＤＣにパスワードロックが自動的にかかる「自動パスワードロック機能」が具備されている。
【００７０】
図１６は、自動パスワードロック機能処理のフローチャートである。記録メディアＳＤＣが装着された撮像装置１において、システム制御部２８は、まず、ステップＳ１６０１で、装着された記録メディアＳＤＣに対し電力供給を開始する。以降の処理は、記録メディアＳＤＣ内の内蔵コントローラにより自動的に実行される。
【００７１】
次に、ステップＳ１６０２で、電力供給を受けた記録メディアＳＤＣは、自身のセットアップ処理の途中までを実行する。この時、該記録メディアＳＤＣは、初期化処理命令の受付を開始していない。次に、ステップＳ１６０３で、記録メディアＳＤＣは、自身にパスワードが設定されているかを判別する。その判別の結果、パスワードが設定されていない場合は、ステップＳ１６０５で、上記セットアップ処理の残りを実行し、本処理を終了する。一方、前記ステップＳ１６０３の判別の結果、パスワードが設定されている場合は、ステップＳ１６０４で、自身にパスワードロックをかけ、前記ステップＳ１６０５を実行する。ステップＳ１６０５の実行により、上記初期化処理命令の受付が開始される。
【００７２】
本処理により、パスワードが設定された記録メディアＳＤＣは、撮像装置１に挿入されて電力供給されたとき、自動的にパスワードロック状態となる。これは、他の撮像装置に挿入されたときも同様である。
【００７３】
図１７は、カードアクセスサービス（Ｃ．１）〜（Ｃ．６）が実行され成功した場合における記録メディアＳＤＣのパスワード及びパスワードロックの設定状態を示す図である。
【００７４】
同図に示すように、サービス（Ｃ．１）〜（Ｃ．６）が成功した後に、他のサービスが実行されないで、電力供給が一旦終了し、その後、電力供給が再度なされた場合は、次のような状態となる。すなわち、サービス（Ｃ．１）、（Ｃ．２）、（Ｃ．４）、（Ｃ．５）の成功後であった場合は、パスワードの設定状態は、「設定」、パスワードロックの設定状態は「ロック」となる。また、サービス（Ｃ．３）、（Ｃ．６）、の成功後であった場合は、パスワードの設定状態は、「未設定」、パスワードロックの設定状態は「ロック解除」となる。
【００７５】
次に、ＦＡＴファイルシステムのファイルアクセスについて説明する。図１８は、ＦＡＴファイルシステムでフォーマットされた記録メディアＳＤＣの記憶領域の構造を示す図である。同図に示すように、記憶領域には、ＰＢＲ（Partition Boot Record）２３０１、第１ＦＡＴ（ＦＡＴ１）２３０２、第２ＦＡＴ（ＦＡＴ２）２３０３、ディレクトリエントリ２３０４及びユーザデータ領域２３０５が含まれる。
【００７６】
図１９は、ＰＢＲ２３０１の詳細構造を示す図である。ＰＢＲ２３０１には、ジャンプ命令２４０１、ＢＰＢ（BIOS Parameter Block）２４０２、ＩＰＬ（Initial Program Loader）２４０３、シグニチャ２４０４が含まれる。ジャンプ命令２４０１には、ＩＰＬ２４０３へのジャンプ命令が格納されている。ＩＰＬ２４０３には、パーティションの起動プログラムが収められている。ＢＰＢ２４０２には、ファイルシステムの情報、特にこのパーティションに特化した情報が記録されている。図２０に、ＢＰＢ２４０２に含まれるパラメータが示されている。
【００７７】
図１８に示す第１ＦＡＴ２３０２、第２ＦＡＴ２３０３には、ユーザデータ領域２３０５に格納されているファイルの位置情報が収められている。ＦＡＴファイルシステムは、第１、第２ＦＡＴ２３０２、２３０３により、パーティションに格納されているファイルの位置情報を取得する。そのため、ユーザデータ領域２３０５にファイルが格納されていても、第１、第２ＦＡＴ２３０２、２３０３に該ファイルの位置情報が格納されていなければ、ファイルとして認識できない。ディレクトリエントリ２３０４には、ルートディレクトリに格納されたファイルの管理情報が収められている。ユーザデータ領域２３０５には、ファイルの本体が格納されている。
【００７８】
ＦＡＴファイルシステムに対するファイルアクセスにおいては、少なくとも次のファイルアクセス手段（ａ）〜（ｇ）が存在する。
（ａ）：新規に空のファイルを作成するファイル作成手段。ファイル作成によって作成されたファイルはオープンされた状態となる。
（ｂ）：既に存在するファイルを削除するファイル削除手段。
（ｃ）：既に存在するファイルをオープンするファイルオープン手段。ファイルオープン時はファイルの先頭を認識している。
（ｄ）：オープンされているファイルをクローズするファイルクローズ手段。
（ｅ）：オープンされているファイルにおいて、その時点で認識している場所から指定サイズ分、ファイル内容をリードするファイルリード手段。
（ｆ）：オープンされているファイルにおいて、その時点で認識している場所から指定サイズ分、指定データをライトするファイルライト手段。このとき認識している場所がファイルの終端でなければ現在のファイルの内容に対して上書きを行うこととなる。
（ｇ）：オープンされているファイルにおいて、認識する場所を移動させるファイルシーク手段。現在認識している場所からの相対位置やファイルの先頭等の絶対位置等を指定して、認識する場所を移動させることができる。
【００７９】
ＦＡＴファイルシステムは、上記ファイルアクセス手段（ａ）〜（ｇ）が利用された場合、利用されたファイルアクセス手段によるファイルアクセスを、最下位の上記ブロックデバイス層（階層Ｌ４）（図５参照）が提供するサービス（Ｂ．１）〜（Ｂ．３）に分解し、該ブロックデバイス層に対して命令として発行することで、記録メディアＳＤＣ内にファイルデータを格納する。
【００８０】
記録メディアＳＤＣ内にファイルデータを格納するファイル格納処理を実行する場合には、上記第１、第２ＦＡＴ２３０２、２３０３へのファイル位置情報の書き込み動作であるＦＡＴライトアクセスと、上記ユーザデータ領域２３０５へのファイル内容データの書き込み動作であるファイルライトアクセスが行われる。このとき、ＦＡＴライトアクセスは少なくとも１回以上の上記サービス（Ｂ．２）に分解され、上記ファイルライトアクセスは少なくとも１回以上の上記サービス（Ｂ．２）に分解され、命令として上記ブロックデバイス層に対して発行される。上記ブロックデバイス層は該命令を受けると、記録メディアＳＤＣにデータアクセスを行う。
【００８１】
以上のような方法で、ＦＡＴファイルシステムは記録メディアＳＤＣ内にファイルをデータとして格納する。上記ファイル格納処理において上記ブロックデバイス層に発行される少なくとも２回以上の上記サービス（Ｂ．２）を含むサービス群は、すべて実行されて初めてＦＡＴファイルシステムとしてファイルを認識可能となる。
【００８２】
以下、本実施の形態において、複数の記録メディアＳＤＣを用い、ＲＡＩＤ記録方式でアクセスする処理を説明する。
【００８３】
図２１は、本実施の形態におけるＲＡＩＤアクセスのメイン処理のフローチャートである。本処理は、撮像装置１の電源がＯＮされたとき、システム制御部２８により実行される。
【００８４】
まず、ステップＳ２１０１で、各カードＩ／Ｆ２４に対する記録メディアＳＤＣの挿入状態を取得する。次に、ステップＳ２１０２で、すべてのカードＩ／Ｆ２４に、記録メディアＳＤＣが挿入されているか否かを判別する。その判別の結果、いずれかのカードＩ／Ｆ２４に記録メディアＳＤＣが挿入されていない場合は、ステップＳ２１０３で、ユーザに対して、記録メディアＳＤＣが存在しない旨を、ＧＵＩ（グラフィカルユーザインターフェース）等を用い画像表示部１８に表示させる等によって通知する。
【００８５】
一方、すべての記録メディアＳＤＣが挿入されている場合は、ステップＳ２１０４で、挿入された記録メディアＳＤＣに対して、後述する図２２のパスワードロック解除・設定処理を実行する。次に、ステップＳ２１０５では、前記ステップＳ２１０４においてパスワードロックの解除・設定が正常終了したか否かを判別する。その判別の結果、正常終了しなかった場合は、ステップＳ２１０６で、ユーザにパスワードロック解除・設定ができなかった旨を、ＧＵＩ等を用い通知する。
【００８６】
一方、前記ステップＳＳ２１０５の判別の結果、パスワードロックの解除・設定が正常終了した場合は、ステップＳ２１０７に進み、挿入されている記録メディアＳＤＣがＲＡＩＤ記録方式でデータアクセスできるか否かを確認するための、後述する図２３のアクセス可能確認処理を実行する。そして、その結果に基づき、記録メディアＳＤＣがＲＡＩＤ記録方式でデータアクセスできるか否かを判別する（ステップＳ２１０８）。
【００８７】
その判別の結果、ＲＡＩＤ記録方式でデータアクセスできない場合は、ステップＳ２１０９に進み、ユーザに、ＲＡＩＤ記録方式でデータアクセスできない旨をＧＵＩ等を用いて通知する。一方、ＲＡＩＤ記録方式でデータアクセスできる場合は、ステップＳ２１１０で、ＲＡＩＤ記録方式で記録メディアＳＤＣにデータアクセスし、撮影画像等のデータをＲＡＩＤ記録方式で記録メディアＳＤＣに保存する。本実施の形態では、一例として、ＲＡＩＤ３が採用されるとする。
【００８８】
図２２は、図２１のステップＳ２１０４で実行されるパスワードロック解除・設定処理のフローチャートである。この処理では、挿入されている全記録メディアＳＤＣに対して、パスワードの設定、及びパスワードロックの解除が行われる。
【００８９】
まず、ステップＳ２２０１では、予め用意したＲＡＩＤ記録方式用パスワードを取得する。このパスワードは、上述のように、例えば、ユーザによる入力または自動生成によって用意される。また、パスワードは、すべて（ここではカードＩ／Ｆ２４の数である５つ分）の記録メディアＳＤＣに対して同一であってもよいが、本実施の形態では、各記録メディアＳＤＣ毎に異なるパスワードが用意される。従って、本実施の形態では、５つ用意される。
【００９０】
次に、ステップＳ２２０２では、上記ＲＡＩＤ記録方式用パスワードを用いて、上記サービス（Ｃ．５）によるパスワードロック解除の実行を行う。次に、ステップＳ２２０３では、パスワードロック解除ができたか否かを判別する。ここで、挿入されている記録メディアＳＤＣが、当該撮像装置１においてＲＡＩＤ記録方式用パスワードでパスワード設定され、且つパスワードロック状態とされたものであったとすれば、パスワードロックの解除が可能である。前記ステップＳ２２０３の判別の結果、パスワードロック解除ができた場合は、ステップＳ２２１２に進み、パスワードロック解除・設定処理を正常終了し、本処理を終了する。
【００９１】
一方、パスワードロック解除ができなかった場合は、ステップＳ２２０４で、ＲＡＩＤ記録方式用パスワードを用いて上記サービス（Ｃ．１）による新パスワード設定の実行を行う。次に、ステップＳ２２０５では、新パスワードの設定ができたか否かを判別する。ここで、挿入されている記録メディアＳＤＣに、パスワードが設定されていなければ、新パスワードを設定可能である。前記ステップＳ２２０５の判別の結果、新パスワードの設定ができた場合は、前記ステップＳ２２１２を実行する。
【００９２】
一方、新パスワードの設定ができなかった場合は、ステップＳ２２０６に進み、ユーザに、当該記録メディアＳＤＣはＲＡＩＤ記録方式でアクセスできない旨を、ＧＵＩ等を用いて通知する。
【００９３】
ＲＡＩＤ記録方式でアクセスできない記録メディアＳＤＣを、ＲＡＩＤ記録方式でアクセスできるようにするには、当該記録メディアＳＤＣのパスワードを変更するか、または記録されている全データ及びパスワードの強制削除をする必要がある。そこで、続くステップＳ２２０７では、ＧＵＩ等を用いて、「パスワード変更」または「全データ及びパスワードの強制削除」のいずれかを選択させるための選択メニューを表示し、ユーザに選択させる。
【００９４】
そして、「パスワード変更」が選択された場合は、ステップＳ２２０８に進み、ＧＵＩ等を用いてユーザに所望のパスワードを入力させる。そして、ステップＳ２２０９で、入力されたパスワードとＲＡＩＤ記録方式用パスワードを用い、上記サービス（Ｃ．２）によるパスワード変更の実行を行い、前記ステップＳ２２１２を実行する。これにより、挿入されている記録メディアＳＤＣが、ＲＡＩＤ記録用に組み合わされた記録メディアＳＤＣでなかった場合であっても、パスワード変更により、ＲＡＩＤ記録用に用いることができるようにすることができる。
【００９５】
一方、「全データ及びパスワードの強制削除」が選択された場合は、ステップＳ２２１０に進み、上記サービス（Ｃ．６）による全データ及びパスワードの強制削除の実行を行う。これにより、当該記録メディアＳＤＣは、一旦、パスワード未設定の状態になる（図１７参照）。その後、ステップＳ２２１１で、ＲＡＩＤ記録方式用パスワードを用い、上記サービス（Ｃ．１）による新パスワード設定の実行を行い、前記ステップＳ２２１２を実行する。これにより、挿入されている記録メディアＳＤＣが、ＲＡＩＤ記録用に組み合わされた記録メディアＳＤＣでなかった場合であっても、新パスワードを設定して、ＲＡＩＤ記録用に用いることができるようにすることができる。
【００９６】
また、前記ステップＳ２２０７において、パスワード変更、全データ及びパスワードの強制削除のどちらも選択されなかった場合は、パスワードロックの解除もパスワードの変更もいずれもできなかったので、ステップＳ２２１３に進み、パスワードロック解除・設定処理を異常終了し、本処理を終了する。
【００９７】
図２３は、図２１のステップＳ２１０７で実行されるアクセス可能確認処理のフローチャートである。図２４は、図２１のステップＳ２１１０において、ＲＡＩＤ３の記録方式（ストライピング方式）で、ＦＡＴファイルシステムを用いてデータを記録メディアＳＤＣに記録する場合の、各記録メディアＳＤＣの記憶内容を示す概念図である。なお、同図では、説明を簡単にするために、挿入されている記録メディアＳＤＣが３つ（ＳＤＣ（１）〜ＳＤＣ（３））である場合を示している。
【００９８】
図２４において、記録メディアＳＤＣ（１）〜ＳＤＣ（３）には、それぞれ自身の固有情報１７０３、１７０６、１７０９が記録されている。これら固有情報には、属性情報（ドライブ）や製造番号等が存在し、これら固有情報は、パスワードロック状態でもアクセス可能な領域に格納されている。
【００９９】
また、記録メディアＳＤＣ（１）〜ＳＤＣ（３）には、それぞれ、固有情報ファイル１７０４、１７０７、１７１０が記録されている。「固有情報ファイル」は、次にデータ記録する記録メディアＳＤＣの固有情報をファイルとしたものである。従って、各記録メディアＳＤＣにおいて、自身の次にアクセスがなされる記録メディアＳＤＣが、自身に記録されている固有情報ファイルによって定まる。従って、自身の固有情報と固有情報ファイルとが、ＲＡＩＤ記録方式によるアクセスの順番を規定する情報（所定情報）となる。システム制御部２８は、固有情報ファイルを用いて、データアクセスする順番を決定する。
【０１００】
同図の例では、記録メディアＳＤＣが３つとしたので、固有情報ファイル１７０４、１７０７、１７１０は、それぞれ、記録メディアＳＤＣ（２）、ＳＤＣ（３）、ＳＤＣ（１）、の固有情報１７０６、１７０９、１７０３をファイルとした情報である。記録メディアＳＤＣが５つの場合は、記録メディアＳＤＣ（４）、ＳＤＣ（５）には、例えば、それぞれ、次にデータ記録される、記録メディアＳＤＣ（５）、ＳＤＣ（１）の固有情報をファイルとした情報が記録される。
【０１０１】
また、記録メディアＳＤＣ（１）〜ＳＤＣ（３）の各領域１７０５、１７０８、１７１１には、それぞれ、自身のＲＡＩＤデータファイルが格納される。各記録メディアＳＤＣ内に記録されたＲＡＩＤデータファイルの名前は同名とされる。ＲＡＩＤ記録方式としてアクセスするときは、ファイル名を指定し、各記録メディアＳＤＣに対しファイルアクセスすることによりアクセスが実現される。また、ＲＡＩＤ３記録方式では、上述のように、データ１、データ２、パリティデータの順番に各記録メディアＳＤＣに記録するため、記録メディアＳＤＣ（１）にはデータ１、データ３・・・、記録メディアＳＤＣ（２）にはデータ２、データ４・・・、記録メディアＳＤＣ（３）にはパリティデータが記録されている。
【０１０２】
図２３において、まず、ステップＳ２３０１で、挿入されている全記録メディアＳＤＣの固有情報を取得する。次に、ステップＳ２３０２では、記録メディアＳＤＣ内にアクセス順が次である記録メディアＳＤＣの固有情報ファイルが存在するか、すなわち、該固有情報ファイルをオープンできたか否かを判別する。その判別の結果、固有情報ファイルをオープンできた場合は、ステップＳ２３０３に進み、その固有情報ファイルを読み出す。前記ステップＳ２３０２〜ステップＳ２３０８の処理は、挿入されている各記録メディアＳＤＣについて個々に行われる。
【０１０３】
次に、ステップＳ２３０４では、読み出した固有情報ファイルの内容と合致する記録メディアＳＤＣの固有情報を、前記ステップＳ２３０１で取得した複数の固有情報の中から検索し、その中に、上記合致する固有情報が存在するか否かを判別する（ステップＳ２３０５）。その判別の結果、上記合致する固有情報が存在しない場合は、ステップＳ２３０６に進み、ＲＡＩＤ記録方式として動作不可能である旨を、ユーザにＧＵＩ等を用いて通知して（ステップＳ２３０６）、ステップＳ２３０９に進む。
【０１０４】
一方、存在する場合は、ステップＳ２３０７に進んで、データのアクセスをする順番を定め、それを記憶する。この順番は、前記ステップＳ２３０１で取得した固有情報と、前記ステップＳ２３０３で読み出した固有情報ファイルとに基づき定められる。その後、前記ステップＳ２３０９に進む。
【０１０５】
一方、前記ステップＳ２３０２の判別の結果、固有情報ファイルをオープンできなかった場合は、ステップＳ２３０８に進み、当該記録メディアＳＤＣには固有情報ファイルが存在しなかった旨を記憶して、前記ステップＳ２３０９に進む。
【０１０６】
ステップＳ２３０９では、全記録メディアＳＤＣに対する固有情報ファイルの確認（チェック）が済んだか否かを判別する。全記録メディアＳＤＣについて、固有情報ファイルの確認が済むまで、前記ステップＳ２３０２〜Ｓ２３０９の処理を繰り返す。そして、全記録メディアＳＤＣの固有情報ファイルの確認が済んだら、ステップＳ２３１０に進み、全記録メディアＳＤＣに固有情報ファイルが存在しないか否かを判別する。
【０１０７】
その判別の結果、いずれかの記録メディアＳＤＣにおいて固有情報ファイルが存在する場合は、ステップＳ２３１２に進み、データを記録する順番が正常に記憶されているか否かを確認する。その判別の結果、順番が正常に記憶されている場合は、ＲＡＩＤ記録方式としてデータアクセス可能であるとして（ステップＳ２３１３）、本処理を終了する。
【０１０８】
一方、順番が正常に記憶されていない場合は、ステップＳ２３１４に進んで、ＲＡＩＤ記録方式として動作不可能である旨を、ユーザにＧＵＩ等を用いて通知して、本処理を終了する。
【０１０９】
一方、前記ステップＳ２３１０の判別の結果、いずれの記録メディアＳＤＣにおいても固有情報ファイルが存在しない場合は、ステップＳ２３１１に進み、全記録メディアＳＤＣに対して、次にデータを書き込む記録メディアＳＤＣの固有情報をファイルとして作成し、それを保存する。これにより、今回挿入されたいずれの記録メディアＳＤＣも、ＲＡＩＤ記録用にフォーマットされたものでなかったとしても、それらの記録メディアＳＤＣを、ＲＡＩＤ記録用にフォーマットして用いることができるようにすることができる。その後、ＲＡＩＤ記録方式としてデータアクセス可能であるとして（ステップＳ２３１３）、本処理を終了する。
【０１１０】
図２５は、ＲＡＩＤ３記録方式でＦＡＴファイルシステムを用い、データを記録する場合のデータ記録処理のフローチャートである。本処理は、ユーザアプリケーション（階層Ｌ１）（図５参照）からデータ記録要求が発生したとき、システム制御部２８により実行される。
【０１１１】
まず、ＲＡＩＤ３記録方式でデータを記録する記録メディアＳＤＣの順番を取得し（ステップＳ２５０１）、複数の記録メディアＳＤＣに対して順番通りにアクセスする。図２４の例によれば、記録メディアＳＤＣ（１）→記録メディアＳＤＣ（２）→記録メディアＳＤＣ（３）の順番でアクセスされる。以下、この順番を例にとって説明する。
【０１１２】
次に、同一のファイル名で全記録メディアＳＤＣのファイルをオープンし（ステップＳ２５０２）、順番が最初である記録メディアＳＤＣ（１）にデータを記録し（ステップＳ２５０３）、次に、順番が記録メディアＳＤＣ（１）の次である記録メディアＳＤＣ（２）にデータを記録する（ステップＳ２５０４）。
【０１１３】
そして、パリティデータを作成し（ステップＳ２５０５）、順番が記録メディアＳＤＣ（２）の次である記録メディアＳＤＣ（３）に、上記作成したパリティデータを記録する（ステップＳ２５０６）。次に、要求された全データを記録したか否かを判別し（ステップＳ２５０７）、全データを記録するまで、前記ステップＳ２５０３〜Ｓ２５０７の処理を繰り返す。そして、全データを記録した場合は、全記録メディアＳＤＣのファイルをクローズして（ステップＳ２５０８）、本処理を終了する。
【０１１４】
図２６は、ＲＡＩＤ３記録方式でＦＡＴファイルシステムを用い、データを取得する（読み出す）データ取得処理のフローチャートである。本処理は、ユーザアプリケーションからデータ取得要求が発生したとき、システム制御部２８により実行される。
【０１１５】
まず、ステップＳ２６０１では、ＲＡＩＤ３記録方式でデータを記録する記録メディアＳＤＣの順番を取得し、順番通りアクセスする。順番は、図２５の処理で説明したのと同じとする。
【０１１６】
次に、ステップＳ２６０２では、同一のファイル名で全記録メディアＳＤＣのファイルをオープンする。次に、ステップＳ２６０３では、順番が最初である記録メディアＳＤＣ（１）からデータを取得し、ステップＳ２６０４で、記録メディアＳＤＣ（２）からデータを取得する。次に、ステップＳ２６０５で、記録メディアＳＤＣ（３）からパリティデータを取得し、ステップＳ２６０６で、パリティチェックを行う。次に、ステップＳ２６０７で、パリティエラーが発生したか否かを判別し、パリティエラーが発生した場合は、ステップＳ２６１０に進み、リードエラーが発生した旨を、ユーザに通知して、本処理を終了する。
【０１１７】
一方、パリティエラーが発生しなかった場合は、ステップＳ２６０８に進み、要求された全データを取得したか否かを判別する。その判別の結果、全データを取得していない場合は、前記ステップＳ２６０３〜Ｓ２６０８の処理を繰り返す。一方、全データを取得した場合は、全記録メディアＳＤＣのファイルをクローズして（ステップＳ２６０９）、本処理を終了する。
【０１１８】
なお、データアクセスする記録メディアＳＤＣの順番は変更でき、パリティデータを格納・チェックする記録メディアＳＤＣを変更することにより、ＲＡＩＤ３記録方式以外のＲＡＩＤ記録方式にも対応できる。
【０１１９】
図２７（ａ）、（ｂ）は、記録メディアＳＤＣの挿抜時の処理を示したフローチャート図である。図２７（ａ）の処理は、記録メディアＳＤＣが抜去されたとき、図２７（ｂ）の処理は、記録メディアＳＤＣが挿入されたときに、システム制御部２８によりそれぞれ実行される。
【０１２０】
ＲＡＩＤ記録方式でアクセス可能であるということは、記録メディアＳＤＣの状態は、パスワードが設定され且つパスワードロックが解除された状態である。記録メディアＳＤＣがカードＩ／Ｆ２４から一旦抜かれると、まず、図２７（ａ）のステップＳ２７００で、抜かれた記録メディアＳＤＣ以外の記録メディアＳＤＣに対して、ＲＡＩＤ記録方式用パスワードを用いて上記サービス（Ｃ．４）によるパスワードロックの実行を行う。これにより、パスワードロックした記録メディアＳＤＣは、不正にアクセスされるおそれが小さくなる。
【０１２１】
ところで、記録メディアＳＤＣに、ＲＡＩＤ記録方式でデータが記録された後、電力供給が停止し、電力供給が再度行われると、図１７に示すように、各記録メディアＳＤＣは、パスワードが設定され且つパスワードロック状態となる。この状態で、これらの記録メディアＳＤＣを、撮像装置１から抜いて、撮像装置１以外の他の装置のカードスロットに挿入したとしても、パスワードロックされており、アクセス不可能状態であることから、データが破損したり、上記他の装置が誤動作を起こしたりするおそれが小さくなる。
【０１２２】
次に、挿入時の動作を説明する。記録メディアＳＤＣがカードＩ／Ｆ２４に挿入されると、図２７（ｂ）のステップＳ２７０１で、予め用意したＲＡＩＤ記録方式用パスワードを取得する。次に、ステップＳ２７０２で、上記ＲＡＩＤ記録方式用パスワードを用い、上記サービス（Ｃ．５）によるパスワードロック解除の実行を行う。次に、ステップＳ２７０３で、パスワードロック解除ができたか否かを判別する。
【０１２３】
その判別の結果、パスワードロック解除ができなかった場合は、ステップＳ２７０４に進み、今回挿入された記録メディアＳＤＣが、異なる記録メディアＳＤＣである、すなわち、ＲＡＩＤ記録方式による組み合わせでない旨を、ユーザにＧＵＩ等を用いて通知する。一方、パスワードロック解除ができた場合は、ステップＳ２７０５に進み、今回挿入された記録メディアＳＤＣ（例えば、図２４の例で、記録メディアＳＤＣ（１）とする）から固有情報を取得する。
【０１２４】
次に、ステップＳ２７０６で、上記取得した固有情報と合致する内容を有する固有情報ファイル（例えば、図２４の例では、記録メディアＳＤＣ（１）の固有情報ファイル１７１０）が、他のカードＩ／Ｆ２４に挿入されている他の記録メディアＳＤＣ内に存在するか否かを判別し（ステップＳ２７０６）、存在しなければ、ステップＳ２７０４に進み、今回挿入された記録メディアＳＤＣが、異なる記録メディアＳＤＣである、すなわち、ＲＡＩＤ記録方式による組み合わせでない旨を、ユーザにＧＵＩ等を用いて通知して、本処理を終了する。
【０１２５】
一方、前記ステップＳ２７０６の判別の結果、上記取得した固有情報と合致する内容を有する固有情報ファイルが、他の記録メディアＳＤＣ内に存在する場合は、ステップＳ２７０７に進み、上記合致する固有情報ファイルが存在する他の記録メディアＳＤＣ（例えば、図２４の例では記録メディアＳＤＣ（３））から、その固有情報ファイルを読み出す。そして、ステップＳ２７０８で、上記読み出した固有情報ファイルの内容と合致する固有情報（例えば、図２４の例では、記録メディアＳＤＣ（１）の固有情報１７０３）が、今回、固有情報ファイルが読み出された記録メディアＳＤＣ以外の他の記録メディアＳＤＣ内に存在するか否かを判別する。
【０１２６】
その判別の結果、存在しない場合は、前記ステップＳ２７０４を実行する。一方、存在する場合（例えば、記録メディアＳＤＣ（１）に存在）は、ステップＳ２７０９に進んで、全記録メディアＳＤＣのＲＡＩＤ記録方式用パスワードを用い、上記サービス（Ｃ．５）により、今回挿入された記録メディアＳＤＣに対してパスワードロック解除の実行を行い、ＲＡＩＤ記録方式でのデータアクセスを可能にする。
【０１２７】
以上のように、ＲＡＩＤ記録用に組み合わされた記録メディアＳＤＣが、ＲＡＩＤ記録用の組み合わせを設定した撮像装置１に揃って挿入された場合にのみ、撮像装置１において適切にアクセスでき、その適否は、パスワードと、固有情報及び固有情報ファイルによって判断される。従って、データアクセス時には、ＲＡＩＤ記録用の組み合わせが保証されるので、不適切なアクセスがなされない。
【０１２８】
本実施の形態によれば、撮像装置１に挿入された記録メディアＳＤＣが、ＲＡＩＤ記録方式によりアクセス可能な組み合わせであるか否かの認証を、パスワードを用いて行い、認証されない場合は、ＲＡＩＤ記録方式によるデータの読み書きができない。従って、記録メディアＳＤＣが抜去されて、他の撮像装置等に挿入されても、記録されたデータが破壊されるおそれが小さい。また、抜去された記録メディアＳＤＣ以外の記録メディアＳＤＣについても、図２７（ａ）の処理によりパスワードロックされるので、不正にアクセスされない。よって、記録メディアが抜去されても記録メディアに記録されたデータを保護することができる。しかも、データの記録は、ＲＡＩＤ記録方式で行われるので、データの読み書きを高速で行える。
【０１２９】
また、ＲＡＩＤ記録方式による組み合わせに係る各記録メディアＳＤＣに、固有情報及び固有情報ファイルを記憶させるので、ＲＡＩＤ記録用に組み合わされた記録メディアＳＤＣであれば、どのカードＩ／Ｆ２４に挿入しても、常に適切な順番でデータを読み書きすることができ、データの整合性を確保することができる。
【０１３０】
また、挿入された記録メディアＳＤＣのパスワードロック解除ができない場合であっても、ユーザの選択により、記録メディアＳＤＣに設定されているパスワードの変更または再設定する手段を設けたので、ＲＡＩＤ記録用に組み合わされた記録メディアＳＤＣ以外の記録メディアＳＤＣを、ＲＡＩＤ記録用に用いることができるようにすることができる。
【０１３１】
（第２の実施の形態）
上記第１の実施の形態では、図２１のステップＳ２１１０においては、ＲＡＩＤ記録方式で記録メディアＳＤＣにデータ記録し、複数の記録メディアＳＤＣのうち１つでもメモリフル（記憶容量無し）になったら、その後はデータ記録が行えなかった。これに対し、本発明の第２の実施の形態では、図２１のステップＳ２１１０で、後述する図２８のＲＡＩＤ記録処理を実行することで、メモリフルになった記録メディアＳＤＣが生じても、空き領域が存在する記録メディアＳＤＣでＲＡＩＤフォーマットを再設定し、記録を継続する。その他の構成は、第１の実施の形態と同様である。本第２の実施の形態では、第１の実施の形態に対して、図２８を加え、さらに、図２４に代えて図２９を用いて説明する。
【０１３２】
図２８は、図２１のステップＳ２１１０で、ＲＡＩＤ記録方式で記録処理を行う際に実行されるＲＡＩＤ記録処理のフローチャートである。この処理開始時には、挿入されている各記録メディアＳＤＣのパスワードが作成され、パスワードのロックが解除され、しかも、各記録メディアＳＤＣがＲＡＩＤ記録方式で記録可能な状態となっている。
【０１３３】
まず、撮像装置１において、ＧＵＩ操作等でユーザが撮影を行うと、ステップＳ２８０１で、撮影画像を取得し、ステップＳ２８０２で、上記取得した撮影画像の画像サイズを計算する。次に、ステップＳ２８０３で、ＲＡＩＤ記録方式で記録可能な「空き領域」を取得する。ここで、上記空き領域は、全記録メディアＳＤＣのうち、個々の記録メディアＳＤＣにおける残りの空き領域（以下、「残メモリサイズ」と称する）が最小である記録メディアＳＤＣの残メモリサイズと、全記録メディアＳＤＣの総数とを掛け合わせた容量である。
【０１３４】
次に、ステップＳ２８０４で、上記計算した画像サイズと、上記取得した空き領域とを比較し、画像サイズが該空き領域より大きいか否かを判別する。その判別の結果、画像サイズ≦空き領域である場合は、問題なく記録処理が行えるので、ステップＳ２８０５に進み、ＲＡＩＤ記録方式で撮影画像を記録する。
【０１３５】
一方、画像サイズ＞空き領域である場合は、ステップＳ２８０６に進み、挿入されている各記録メディアＳＤＣの残メモリサイズを取得する。次に、ステップＳ２８０７では、全記録メディアＳＤＣのうち残メモリサイズが最小である記録メディアＳＤＣを除いた、残りの複数の記録メディアＳＤＣだけで、ＲＡＩＤ記録方式の組み合わせを新たに構築したと仮定した場合における、上記「空き領域」を計算する。これは、残メモリサイズが最小である記録メディアＳＤＣを使用しないで、残メモリサイズが大きい記録メディアＳＤＣのみを組み合わせてＲＡＩＤ記録方式を実現することで、記録可能な領域である空き領域が増加する場合があるからである。
【０１３６】
そして、上記画像サイズと前記ステップＳ２８０７で計算された空き領域とを比較し、画像サイズが該空き領域より大きいか否かを判別する。その判別の結果、画像サイズ＞空き領域である場合は、メモリフルである旨を、ＧＵＩ等を使用してユーザに知らせる（ステップＳ２８０９）。
【０１３７】
一方、画像サイズ≦空き領域となった場合は、ステップＳ２８１０に進んで、新たに組み合わされた複数の記録メディアＳＤＣに対して、ＲＡＩＤ記録方式のための情報（固有情報ファイル等）を記憶、すなわち、ＲＡＩＤ記録方式のフォーマットを再設定する。
【０１３８】
次に、ステップＳ２８１１で、上記再設定したＲＡＩＤ記録方式で、新たな組み合わせの各記録メディアＳＤＣに対してデータの記録を継続し、ステップＳ２８１２で、これら記録メディアＳＤＣのすべてのパスワードをロックする。
【０１３９】
なお、前記ステップＳ２８０７、Ｓ２８０８では、残メモリサイズが最小である記録メディアＳＤＣを除いて組み合わせても、依然として、画像サイズ＞空き領域であった場合は、さらに次に残メモリサイズが小さい記録メディアＳＤＣも除いて、再度、残りの記録メディアＳＤＣで組み合わせ、空き領域を計算してもよい。これにより、空き領域が増加する場合がある。
【０１４０】
図２９は、記録メディアＳＤＣがメモリフルになった後に、ＲＡＩＤ記録方式が再設定された各記録メディアＳＤＣの記憶内容を示す概念図である。同図において、図２４と同じ要素には同じ符号が付してある。
【０１４１】
図２９に示すように、例えば、記録メディアＳＤＣ（２）が、他２つの記録メディアＳＤＣ（ＳＤＣ（１）、ＳＤＣ（３））と比較して、残メモリサイズが最小であったとする。ＲＡＩＤ記録方式でデータを記録処理しているときに、記録メディアＳＤＣ（２）の残メモリサイズが少なくなると、データの記録が継続できなくなる。
【０１４２】
そこで、記録メディアＳＤＣ（２）を除いた残りの記録メディアＳＤＣ（１）、ＳＤＣ（３）を新たに組み合わせ、ＲＡＩＤ記録方式のフォーマットを、記録メディアＳＤＣ（１）、ＳＤＣ（３）における、データ領域として使用した領域に記憶させる。
【０１４３】
記録メディアＳＤＣ（１）、ＳＤＣ（３）には、それぞれ、固有情報ファイル２７１２、２７１４が新たに記録される。固有情報ファイル２７１２、２７１４はそれぞれ、記録メディアＳＤＣ（３）、ＳＤＣ（１）の固有情報１７０９、１７０３をファイルとした情報である。従って、これらＲＡＩＤ記録方式の情報の記憶後は、データアクセスの順番も変わることになる。ＲＡＩＤ記録方式の情報を記憶した後に、記録メディアＳＤＣ（１）、ＳＤＣ（３）のそれぞれの領域２７１３、２７１５に、データが記録される。
【０１４４】
本実施の形態によれば、第１の実施の形態と同様の効果を奏することができる。さらに、残メモリサイズがなくなった記録メディアＳＤＣが生じても、他の複数の記録メディアＳＤＣをＲＡＩＤ記録用に新たに組み合わせて、データの記録を継続することができる。
【０１４５】
なお、上記第１、第２の実施の形態では、カメラシステムを例にとり、データ記録装置が撮像装置１であるとしたが、これに限るものではない。例えば、記録メディアＳＤＣが着脱可能な装置であれば適用可能である。
【０１４６】
なお、記録メディアとして、ＳＤメモリカード等を例示したが、パスワードによるアクセスロック機能と、上記自動パスワードロック機能を具備する着脱可能な外部記憶媒体であれば、本発明を適用することができる。さらに、パスワードによるアクセスロック機能と、上記自動パスワードロック機能を具備する記録メディアを例にあげたが、強制抜去後にパスワードロックを記録メディアにかけることが可能であれば、本発明を適用することができる。
【０１４７】
また、記録メディアのアクセスロック手段として、パスワードによるロック手段を例に挙げたが、いずれのアクセスロック手段においても、他システムにおいてユーザの意図無しに自動的に解除できないことを保証できるアクセスロック手段を有する記録メディアであれば、本発明を適用することができる。
【０１４８】
さらに、記録メディアの強制抜去から再装着までの間に内部データへの変更が行われないことを保証する機能として、パスワードロック機能を例に挙げたが、この機能に限られず、強制抜去から再挿入までの間に内部データへの変更が行われないことの保証ができる機能が存在する場合、本発明を適用することができる。
【０１４９】
なお、記録の対象となるデータは、画像データに限られず、テキストデータ、音声データ等であってもよい。
【図面の簡単な説明】
【０１５０】
【図１】本発明の第１の実施の形態に係るデータ記録装置の構成を示すブロック図である。
【図２】ミラーリング方式を用いてデータの記録が行われるＲＡＩＤ１の記録方式の概念図である。
【図３】ストライピング方式を用いてデータの記録が行われるＲＡＩＤ３の記録方式の概念図である。
【図４】ストライピング方式を用いてデータの記録が行われるＲＡＩＤ５の記録方式の概念図である。
【図５】記録メディアに記録される画像ファイルシステムの階層構造を示す概念図である。
【図６】カードアクセスサービス（Ｃ．１）の動作を示したフローチャート図である。
【図７】カードアクセスサービス（Ｃ．２）の動作を示したフローチャート図である。
【図８】カードアクセスサービス（Ｃ．３）の動作を示したフローチャート図である。
【図９】カードアクセスサービス（Ｃ．４）の動作を示したフローチャート図である。
【図１０】カードアクセスサービス（Ｃ．５）の動作を示したフローチャート図である。
【図１１】カードアクセスサービス（Ｃ．６）の動作を示したフローチャート図である。
【図１２】記録メディアに対するパスワード制御のフローチャートである。
【図１３】パスワード制御サービス（Ｃ．１）、（Ｃ．３）〜（Ｃ．５）におけるパスワード制御データの構造を示す概念図である。
【図１４】パスワード制御サービス（Ｃ．２）におけるパスワード制御データの構造を示す概念図である。
【図１５】パスワード制御サービス（Ｃ．６）におけるパスワード制御データの構造を示す概念図である。
【図１６】自動パスワードロック機能処理のフローチャートである。
【図１７】カードアクセスサービス（Ｃ．１）〜（Ｃ．６）が実行され成功した場合における記録メディアのパスワード及びパスワードロックの設定状態を示す図である。
【図１８】ＦＡＴファイルシステムでフォーマットされた記録メディアの記憶領域の構造を示す図である。
【図１９】ＰＢＲの詳細構造を示す図である。
【図２０】ＢＰＢに含まれるパラメータを示す図である。
【図２１】ＲＡＩＤアクセスのメイン処理のフローチャートである。
【図２２】図２１のステップＳ２１０４で実行されるパスワードロック解除・設定処理のフローチャートである。
【図２３】図２１のステップＳ２１０７で実行されるアクセス可能確認処理のフローチャートである。
【図２４】図２１のステップＳ２１１０において、ＲＡＩＤ３の記録方式（ストライピング方式）で、ＦＡＴファイルシステムを用いてデータを記録メディアに記録する場合の、各記録メディアの記憶内容を示す概念図である。
【図２５】ＲＡＩＤ３記録方式でＦＡＴファイルシステムを用い、データを記録する場合のデータ記録処理のフローチャートである。
【図２６】ＲＡＩＤ３記録方式でＦＡＴファイルシステムを用い、データを取得する（読み出す）データ取得処理のフローチャートである。
【図２７】記録メディアが抜去されたときの処理（図（ａ））、及び記録メディアが挿入されたときの処理（図（ｂ））のフローチャートである。
【図２８】本発明の第２の実施の形態において、図２１のステップＳ２１１０で、ＲＡＩＤ記録方式で記録処理を行う際に実行されるＲＡＩＤ記録処理のフローチャートである。
【図２９】記録メディアがメモリフルになった後に、ＲＡＩＤ記録方式が再設定された各記録メディアの記憶内容を示す概念図である。
【符号の説明】
【０１５１】
１  撮像装置
２０  メモリ（パスワード記憶手段）
２３  ディスクアレイコントローラ
２４  カードＩ／Ｆ（メディア装着部）
２８  システム制御部（パスワード設定手段、アクセス認証手段、記録制御手段）
ＳＤＣ  記録メディア
【図１】
2006293745.tif 000003
【図２】
2006293745.tif 000004
【図３】
2006293745.tif 000005
【図４】
2006293745.tif 000006
【図５】
2006293745.tif 000007
【図６】
2006293745.tif 000008
【図７】
2006293745.tif 000009
【図８】
2006293745.tif 000010
【図９】
2006293745.tif 000011
【図１０】
2006293745.tif 000012
【図１１】
2006293745.tif 000013
【図１２】
2006293745.tif 000014
【図１３】
2006293745.tif 000015
【図１４】
2006293745.tif 000016
【図１５】
2006293745.tif 000017
【図１６】
2006293745.tif 000018
【図１７】
2006293745.tif 000019
【図１８】
2006293745.tif 000020
【図１９】
2006293745.tif 000021
【図２０】
2006293745.tif 000022
【図２１】
2006293745.tif 000023
【図２２】
2006293745.tif 000024
【図２３】
2006293745.tif 000025
【図２４】
2006293745.tif 000026
【図２５】
2006293745.tif 000027
【図２６】
2006293745.tif 000028
【図２７】
2006293745.tif 000029
【図２８】
2006293745.tif 000030
【図２９】
2006293745.tif 000031